(57)【要約】 【課題】  基板用コネクタの小型化を図る。【解決手段】  ターミナル４０は、長短２種類のもので構成され、このうち長いターミナル４０Ａは、短いターミナル４０Ｂよりも高い位置でハウジング４０を貫通しており、長いターミナル４０Ａの屈曲部４２は、短いターミナル４０Ｂの屈曲部４２よりも後方に位置し、且つ、長いターミナル４０Ａの曲げの内側に短いターミナル４０Ｂが位置することで曲げの内側と外側とに互いが並ぶようになっている。短いターミナル４０Ｂの接点４４Ｂは、脚部４３の延出端をハウジング１１側へ向けて内向きに屈曲して形成され、凹部１７に入り込んでいる。【選択図】  図３
2005116230.tif 000002
【特許請求の範囲】
【請求項１】
ハウジングと、このハウジングの装着部に貫通して装着される複数のターミナルとを備え、各ターミナルは、相手側端子に接続されるとともに前記ハウジングの後端面より外部へ導出される接続部と、この接続部の導出端に屈曲部を介して連なってプリント基板側へ延出されて同プリント基板の導体部に接続される脚部とからなり、且つ、前記各ターミナルは、長さを異にした複数種により構成され、長短２種類のものを相対比較したときに、長いほうのターミナルは、短いほうのターミナルよりも高い位置で前記ハウジングを貫通しており、前記長いほうのターミナルの屈曲部は、前記短いほうのターミナルの屈曲部よりも後方に位置し、且つ、前記長いほうのターミナルの曲げの内側に前記短いほうのターミナルが位置することで曲げの内側と外側とに互いが並ぶようにした基板用コネクタであって、
前記複数種のターミナルのうち少なくとも長さの最も短いターミナルは、前記脚部の延出端を前記ハウジング側へ向けて屈曲することで前記導体部に対する接点を形成していることを特徴とする基板用コネクタ。
【請求項２】
前記ハウジングの後端面には、凹部が設けられ、この凹部に、前記ハウジング側へ向けて屈曲した前記接点が入り込むようになっていることを特徴とする請求項１に記載の基板用コネクタ。
【請求項３】
ハウジングと、このハウジングの装着部に貫通して装着される複数のターミナルとを備え、各ターミナルは、相手側端子に接続されるとともに前記ハウジングの後端面より外部へ導出される接続部と、この接続部の導出端に屈曲部を介して連なってプリント基板側へ延出されて同プリント基板の導体部に接続される脚部とからなる基板用コネクタであって、
前記各ターミナルの屈曲部は、前記ハウジングの後端面における前記装着部の口縁に当接した状態となっていることを特徴とする基板用コネクタ。
【請求項４】
前記ハウジングの後端面には、内方へ向けて抉られた抉れ部が設けられ、この抉れ部内に前記各ターミナルの屈曲部が配されていることを特徴とする請求項３に記載の基板用コネクタ。
【請求項５】
前記各ターミナルの脚部は、前記装着部に装着されたあと前記プリント基板側へ屈曲して形成されるものであり、
前記ハウジングの後端面における前記装着部の口縁は、前記脚部を成形する際の曲げ支点となっていることを特徴とする請求項３または請求項４に記載の基板用コネクタ。
【請求項６】
前記ハウジングの後端面における前記装着部の口縁のうち前記各ターミナルの曲げ方向の下面側は、下向きに傾斜して形成されていることを特徴とする請求項５に記載の基板用コネクタ。
【発明の詳細な説明】
【技術分野】
【０００１】
本発明は、プリント基板に接続される基板用コネクタに関する。
【背景技術】
【０００２】
従来、この種の基板用コネクタは、ハウジング内に多数のターミナルを装着しており、各ターミナルは、相手側端子に接続されるとともにハウジングの後端面から突出する水平部と、水平部の後端からプリント基板側へ直角曲げされた垂下部と、垂下部の下端から後方へ屈曲されてプリント基板の回路パターンに半田付け接続される接点部とを備えている。各ターミナルは、長短２種類のものが配備されており、このうち長いターミナルは、ハウジングの上段に配される一方、短いターミナルは、ハウジングの下段に配されている。そして、長いターミナルの屈曲部は、短いターミナルの屈曲部より後方に位置し、長いターミナルの曲げの内側に短いターミナルが位置するようになっている。
【特許文献１】特開平７−１５３５０８号公報
【発明の開示】
【発明が解決しようとする課題】
【０００３】
上記の場合には、各ターミナルの接点部が後方へ向けて延出されていたことから、長短２種類のターミナルのうち長いほうのターミナルは、短いほうのターミナルの接点部との干渉を回避するべく屈曲部を相当に後方位置に設ける必要があり、コネクタ全体として奥行き寸法が増大する傾向にあった。そのため、昨今のコネクタ小型化の要請に対応することが困難となっていた。
本発明は上記のような事情に基づいて完成されたものであって、基板用コネクタを小型化することを目的とする。
【課題を解決するための手段】
【０００４】
上記の目的を達成するための手段として、請求項１の発明は、ハウジングと、このハウジングの装着部に貫通して装着される複数のターミナルとを備え、各ターミナルは、相手側端子に接続されるとともに前記ハウジングの後端面より外部へ導出される接続部と、この接続部の導出端に屈曲部を介して連なってプリント基板側へ延出されて同プリント基板の導体部に接続される脚部とからなり、且つ、前記各ターミナルは、長さを異にした複数種により構成され、長短２種類のものを相対比較したときに、長いほうのターミナルは、短いほうのターミナルよりも高い位置で前記ハウジングを貫通しており、前記長いほうのターミナルの屈曲部は、前記短いほうのターミナルの屈曲部よりも後方に位置し、且つ、前記長いほうのターミナルの曲げの内側に前記短いほうのターミナルが位置することで曲げの内側と外側とに互いが並ぶようにした基板用コネクタであって、前記複数種のターミナルのうち少なくとも長さの最も短いターミナルは、前記脚部の延出端を前記ハウジング側へ向けて屈曲することで前記導体部に対する接点を形成している構成としたところに特徴を有する。
【０００５】
請求項２の発明は、請求項１に記載のものにおいて、前記ハウジングの後端面には、凹部が設けられ、この凹部に、前記ハウジング側へ向けて屈曲した前記接点が入り込むようになっているところに特徴を有する。
【０００６】
請求項３の発明は、ハウジングと、このハウジングの装着部に貫通して装着される複数のターミナルとを備え、各ターミナルは、相手側端子に接続されるとともに前記ハウジングの後端面より外部へ導出される接続部と、この接続部の導出端に屈曲部を介して連なってプリント基板側へ延出されて同プリント基板の導体部に接続される脚部とからなる基板用コネクタであって、前記各ターミナルの屈曲部は、前記ハウジングの後端面における前記装着部の口縁に当接した状態となっている構成としたところに特徴を有する。
【０００７】
請求項４の発明は、請求項３に記載のものにおいて、前記ハウジングの後端面には、内方へ向けて抉られた抉れ部が設けられ、この抉れ部内に前記各ターミナルの屈曲部が配されているところに特徴を有する。
【０００８】
請求項５の発明は、請求項３または請求項４に記載のものにおいて、前記各ターミナルの脚部は、前記装着部に装着されたあと前記プリント基板側へ屈曲して形成されるものであり、前記ハウジングの後端面における前記装着部の口縁は、前記脚部を成形する際の曲げ支点となっているところに特徴を有する。
【０００９】
請求項６の発明は、請求項５に記載のものにおいて、前記ハウジングの後端面における前記装着部の口縁のうち前記各ターミナルの曲げ方向の下面側は、下向きに傾斜して形成されているところに特徴を有する。
【発明の効果】
【００１０】
＜請求項１の発明＞
複数種のターミナルのうち長さの最も短いターミナルが脚部の延出端をハウジング側へ向けて屈曲することで導体部に対する接点部を形成しているから、接点部との干渉を回避するために曲げの外側に位置する長いターミナルの屈曲部をハウジングから離れた後方位置に設ける必要がない。その結果、基板用コネクタの奥行き寸法を小さくできる。
【００１１】
＜請求項２の発明＞
ハウジング側へ向けて屈曲した接点が凹部内に入り込むようになっているから、かかる接点が存する分のスペースを、基板用コネクタの奥行き寸法を増大させることなく確保できる。
【００１２】
＜請求項３の発明＞
各ターミナルの屈曲部がハウジングの後端面における装着部の口縁に当接した状態となっていることでハウジングから離れた後方位置に設けられていないから、基板用コネクタの奥行き寸法を小さくできる。
【００１３】
＜請求項４の発明＞
屈曲部が抉れ部内に配されているから、かかる屈曲部が存する分のスペースを、基板用コネクタの奥行き寸法を増大させることなく確保できる。
【００１４】
＜請求項５の発明＞
ハウジングの後端面における装着部の口縁が脚部を成形する際の曲げ支点となっているから、曲げ加工する際の作業性に優れる。
【００１５】
＜請求項６の発明＞
ハウジングの後端面における装着部の口縁のうち各ターミナルの曲げ方向の下面側が下向きに傾斜して形成されているから、曲げ加工時に各ターミナルが正規の配設位置よりも過度曲げされることが許容される。その結果、各ターミナルの脚部が、その後のスプリングバックによって正規の配設位置へ至ることが可能となる。
【発明を実施するための最良の形態】
【００１６】
＜実施形態１＞
本発明の実施形態１を図１ないし図５によって説明する。本実施形態に係る基板用コネクタ１０は、プリント基板３０に表面実装されるターミナル４０を備えた例を示している。以下、前後方向については、図３の右側を前方として説明する。
【００１７】
基板用コネクタ１０は、ハウジング１１と、ハウジング１１内に収容保持された複数のターミナル４０と、ハウジング１１の底面の両端部に突成され、ハウジング１１をプリント基板３０に固定するための固定部１３とを備える。
ハウジング１１は、合成樹脂材料により横長ボックス状に成形され、その前面には、相手側の雌コネクタ２０の雌ハウジング２１を内嵌可能な嵌合凹部１１Ａが形成されている。
【００１８】
ハウジング１１の上面の中央部には、図２に示すように、前端縁から一対の切り込み１２が入ることにより、両切り込み１２間にて弾性的に撓み可能となったロック片１４が設けられている。ロック片１４のほぼ中央部には、平面視して矩形状をなすロック孔１４Ａが貫設されている。ロック片１４は、図４に示すように、雌雄の両コネクタ１０，２０が嵌合される過程で、上方へ撓み変形しつつ相手側の雌ハウジング２１に設けられたロック突部２２に乗り上げられ、雌雄の両コネクタ１０，２０が正規の嵌合状態に至ったときに、図５に示すように、ロック孔１４Ａにロック突部２２を嵌入させ、もって両コネクタ１０，２０が互いに離脱しないような構成となっている。また、図１に示すように、ロック片１４の下端部は、その上部よりも幅広に張り出し形成されており、ロック片１４が過度撓みしたときには、各切り込み１２の内面から内向きに突成された過度撓み防止片１５に当接してロック片１４のそれ以上の撓み動作が抑えられるようにしてある。
【００１９】
ここで、仮にロック片１４を相手側の雌ハウジング２１の上面に突出して設けるとすると、該雌ハウジング２１の上面にロック片１４の撓み動作を許容するための撓み空間を形成しておく必要がある。そうすると、ハウジング１１の嵌合凹部１１Ａは、かかる撓み空間やロック片１４の形成によって高背化した雌ハウジング２１を受け入れ可能な大きさに成形されることとなるから、高さ寸法が増大してコネクタ低背化の要請に応えられなくなってしまう。このため、本実施形態では、ロック片１４をハウジング２１側に設けることでコネクタ低背化の要請に適うようにするとともに、ロック片１４を外部に露出させることで手作業による両コネクタ１０，２０の離脱操作を可能としたものである。
【００２０】
また、ハウジング１１には、図３に示すように、各ターミナル４０の接続部４１（後述する）を水平姿勢で保持可能な装着部１６が上下２段に分かれて形成されている。装着部１６は、各ターミナル４０に対する圧入代を確保するべく上壁や下壁よりも厚肉に形成されたハウジング１１の後壁に形成されている。ハウジング１１の後端面における装着部１６の口縁は、ラッパ状に開口する誘導面１１Ｔとなっており、各ターミナル４０の装着時に各ターミナル４０の先端部をガイドするようになっている。
【００２１】
ハウジング１１の装着部１６に圧入されるターミナル４０は、導電性線材を折り曲げてなるものであり、全体の長さ及びハウジング１１からの突出長さがそれぞれ異なる長短２種類のものが、複数本ずつ左右方向に一定ピッチで設けられている。各ターミナル４０は、相手側端子（図示せず）に接続されるとともにハウジング１１の後端面より外部へ略水平に導出される接続部４１と、この接続部４１の後端に屈曲部４２を介して連なって下方に延びる脚部４３とを備えている。また、長短２種類のターミナル４０Ａ，４０Ｂのうち長いほうのターミナル４０Ａは、短いほうのターミナル４０よりも高い位置でハウジング１１を貫通しており、且つ、長いターミナル４０Ａの屈曲部４２の位置は、短いターミナル４０Ｂの屈曲部４２よりも後方（ハウジング１１から遠い側）に位置している。そして、Ｌ字形に曲げられた長短２種類のターミナル４０Ａ，４０Ｂは、長いターミナル４０Ａの曲げの内側に短いターミナル４０Ｂが位置するようになっており、したがって、後方から視たときに、曲げの内側に位置する短いターミナル４０Ｂは、曲げの外側に位置する長いターミナル４０Ａの陰に隠れるようになっている。つまり、後方から視たときに、長短２種類のターミナル４０Ａ，４０Ｂは、同一直線上に重なって並ぶようになっている。
【００２２】
さて、長短２種類のターミナル４０Ａ，４０Ｂのうち内側に位置する短いターミナル４０Ｂは、脚部４３の先端部をハウジング１１側へ向けて屈曲することにより、プリント基板３０の導体部（回路パターン）に対する接点４４Ｂを形成している。そして、ハウジング１１の後端面には、上記態様で内曲げされた接点４４Ｂを逃すための凹部１７が設けられている。凹部１７は、ハウジング１１において短いターミナル４０Ｂを貫通保持する装着部１６の下方に位置するとともにプリント基板３０側へ開放して設けられており、その内側に接点４４Ｂが入り込んでいる。したがって、上から視たときに（基板用コネクタ１０のプリント基板３０に対する組付け方向に視たときに）、接点４４Ｂは、凹部１７内に入り込むことにより、ハウジング１１の装着部１６の陰に隠れるようになっている。また、長短２種類のターミナル４０Ａ，４０Ｂのうち外側に位置する長いターミナル４０Ａは、上記とは逆に、脚部４３の先端部をハウジング１１側から離れる側へ屈曲することでプリント基板３０に対する接点４４Ａを形成している。
【００２３】
次に、本実施形態の作用を説明する。まず、ハウジング１１の装着部１６に各ターミナル４０を後方から圧入する。このとき、各ターミナル４０は、予めＬ字形に曲げられているとよいが、圧入後にＬ字形に曲げられても構わない。続いて、ハウジング１１をプリント基板３０の所定位置に載置させ、プリント基板３０の位置決め孔３１に固定部１３を差し込む。すると、長短２種類のターミナル４０Ａ，４０Ｂの各接点４４Ａ，４４Ｂは、プリント基板３０の上面に沿うようにして対応する導体部に電気的に接触される。その後、プリント基板３０と各接点４４Ａ，４４Ｂとの間に半田付けを施して双方の接続を確実なものとする。
【００２４】
本実施形態の基板用コネクタ１０によれば、短いターミナル４０Ｂのプリント基板３０に対する接点４４Ｂがハウジング１１側へ内向きに屈曲して形成されているから、かかる接点４４Ｂとの干渉を回避するために長いターミナル４０Ａの屈曲部４２を後方位置に設けなくて済み、その結果、基板用コネクタ１０の奥行き寸法を小さくできる。
【００２５】
また、短いターミナル４０Ｂの接点４４Ｂは、凹部１７内に入り込むようになっているから、かかる接点４４Ｂが存する分のスペースを、基板用コネクタ１０の奥行き寸法を増大させることなく確保することができ、もって基板用コネクタ１０の奥行き寸法を一層小さくできる。さらに、凹部１７は、ハウジング１１の後端面に設けられているから、短いターミナル４０Ｂの接点４４Ｂとプリント基板３０との間の半田付け状態を後方から容易に視認できる。
【００２６】
＜実施形態２＞
図６及び図７は、本発明の実施形態２を示している。実施形態２では、ハウジング１１に各ターミナル４０を圧入したあとプリント基板３０側へ屈曲させることで各脚部４３を形成しており、その際、ハウジング１１の後端面における装着部１６の口縁を曲げ支点として利用している点で実施形態１と異なっている。
【００２７】
すなわち、実施形態２において、ハウジング１１の後端面における装着部１６の口縁には、図６に示すように、使用時の完成形態で屈曲部４２が当接した状態となっている。そして、ハウジング１１の後端面における装着部１６の口縁の下面側（各ターミナル４０の曲げ方向の下面側）には、下向きに傾斜する斜面部１８が切り欠きにより形成され、この斜面部１８に当接するまで各ターミナル４０の曲げが許容されている。また、長いほうのターミナル４０Ａを装着する上段側の装着部１６には、該ターミナル４０Ａの接続部４１を屈曲部４２に至るまで下方から支持可能なようにハウジング１１の後方へ突き出た形態の受け部１９が形成されている。さらに、受け部１９には、斜面部１８に連なるとともに斜面部１８よりも大きい勾配をもって下向きに傾く第２斜面部１８Ａを備え、この第２斜面部１８Ａに沿って曲げ加工時に冶具がガイドされるようになっている（後述する）。
【００２８】
ハウジング１１の装着部１６に各ターミナル４０を装着するには、まず、図７の（Ａ）に示すように、下段側の装着部１６に対応する短いターミナル４０Ｂを圧入し、その状態で後方から冶具Ｇを第２斜面部１８Ａに沿って滑り込ませる。続いて、図７の（Ｂ）に示すように、ハウジング１１の後端面における装着部１６の口縁を曲げ支点として冶具Ｇをプリント基板３０側へ回動させ、脚部４３が斜面部１８に当接するまで短いターミナル４０Ｂを屈曲変形させる。その後、冶具Ｇの係合を解除すると、図７の（Ｃ）に示すように、ターミナル４０の脚部４３が、スプリングバックによって正規の配設位置に至り、略垂直姿勢に維持される。この場合に斜面部１８の勾配は、ターミナル４０のスプリングバック量に対応して設定されることとなる。
【００２９】
実施形態２によれば、各ターミナル４０の屈曲部４２がハウジング１１の後端面における装着部１６の口縁に当接した状態となっていることでハウジング１１から離れた後方位置に設けられていないから、基板用コネクタ１０の奥行き寸法を小さくできる。また、ハウジング１１の後端面における装着部１６の口縁が脚部４３を成形する際の曲げ支点となっているから、曲げ加工する際の作業性に優れる。さらに、ハウジング１１の後端面における装着部１６の口縁の下面側に下向きに傾斜する斜面部１８が形成されているから、曲げ加工時に各ターミナル４０が正規の配設位置よりも過度曲げされることが許容され、その結果、各ターミナル４０の脚部４３がその後のスプリングバックによって正規の配設位置へ至ることが可能となる。また、各ターミナル４０の接点４４Ａ，４４Ｂがハウジング１１側と反対側へ向けて延出されているから、両接点４４Ａ，４４Ｂとプリント基板３０との間の半田付け状態を後方から容易に視認できる。
【００３０】
＜実施形態３＞
図８及び図９は、本発明の実施形態３を示している。実施形態３では、図８に示すように、予めターミナル４０をＬ字形に曲げておき、その曲げられたターミナル４０をハウジング１１の装着部１６に後方から圧入している点で実施形態２と異なっている。もっとも、実施形態３も、図９に示すように、ハウジング１１の後端面における装着部１６の口縁に屈曲部４２が当接した状態となっており、この点で実施形態２と同一である。
【００３１】
すなわち、実施形態３において、ハウジング１１の後端面における装着部１６の口縁の下面側は、各ターミナル４０の脚部４３に沿って形成されており、概ね垂直方向に切り立っている。また、ハウジング１１の後端面のうち装着部１６の口縁を含んだ下部領域は、内側に大きく抉れた抉れ部６０とされ、その内側に各ターミナル４０の屈曲部４２が配されるようになっている。したがって、上から視たときに（基板用コネクタ１０のプリント基板３０に対する組付け方向に視たときに）、各ターミナル４０の屈曲部４２は、抉れ部６０内に配されることにより、ハウジング１１の装着部１６の陰に隠れるようになっている。
【００３２】
第３実施形態によれば、ハウジング１１の後端面に沿って各ターミナル４０の脚部４３が配されているから、基板用コネクタ１０の奥行き寸法を小さくできるのに加え、各ターミナル４０の屈曲部４２が抉れ部６０内に配されているから、かかる屈曲部４２が存する分のスペースを、基板用コネクタ１０の奥行き寸法を増大させることなく確保できる。また、各ターミナル４０の接点４４Ａ，４４Ｂがハウジング１１側と反対側へ向けて延出されているから、両接点４４Ａ，４４Ｂとプリント基板３０との間の半田付け状態を後方から容易に視認できる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３４】
（１）実施形態２及び実施形態３では、表面実装タイプのターミナルを備えた例を示したが、本発明においては、プリント基板の下面側へ貫通するターミナルを備えるものであっても構わない。
【００３５】
（２）実施形態１では、長短２種類のターミナルがハウジングの上下２段に分かれて配されていてが、本発明においては、長さを異にする３種以上のターミナルがハウジングを多数段に分かれて配されていても構わない。ただし、長短２種類のターミナルを相対比較したときに、長いほうのターミナルは、短いほうのターミナルよりも高い位置でハウジングを貫通しており、長いほうのターミナルの屈曲部は、短いほうのターミナルの屈曲部よりも後方に位置し、且つ、長いほうのターミナルの曲げの内側に短いほうのターミナルが位置することで曲げの内側と外側とに互いが並ぶようになっていることが必要とされる。
【００３６】
（３）実施形態１では、長いターミナルの接点がハウジングから離れる方向へ延出されていたが、本発明においては、長いターミナルの接点も、短いターミナルの接点と同様に、ハウジング側へ向けて延出されているとよい。
（４）実施形態１では、凹部が設けられ、実施形態３では、抉れ部が設けられていたが、本発明においては、凹部や抉れ部は無くても構わない。
【図面の簡単な説明】
【００３７】
【図１】本発明の実施形態１に係る基板用コネクタの正面図
【図２】平面図
【図３】相手コネクタと嵌合する前の断面図
【図４】相手コネクタと嵌合している途中の断面図
【図５】相手コネクタと正規嵌合した状態の断面図
【図６】実施形態２に係る基板用コネクタの断面図
【図７】（Ａ）ターミナルを曲げる前の断面図  （Ｂ）ターミナルを曲げている途中の断面図  （Ｃ）ターミナルを曲げた後の断面図
【図８】実施形態３に係る基板用コネクタのターミナル装着前の断面図
【図９】ターミナル装着後の断面図
【符号の説明】
【００３８】
１０…基板用コネクタ
１１…ハウジング
１６…装着部
１７…凹部
４０…ターミナル
４０Ａ…長いターミナル
４０Ｂ…短いターミナル
４１…接続部
４２…屈曲部
４３…脚部
４４Ｂ…接点
【図１】
2005116230.tif 000003
【図２】
2005116230.tif 000004
【図３】
2005116230.tif 000005
【図４】
2005116230.tif 000006
【図５】
2005116230.tif 000007
【図６】
2005116230.tif 000008
【図７】
2005116230.tif 000009
【図８】
2005116230.tif 000010
【図９】
2005116230.tif 000011